(57)【特許請求の範囲】
【請求項１】
炉心を収納し液体金属が充填された原子炉容器内のデブリの堆積量を推定する装置であって、
前記原子炉容器の外部から当該原子炉容器内の中性子束の計測を行う中性子検出器と、
前記中性子検出器によって検出した中性子束の値に基づき前記原子炉容器内のデブリの堆積量を推定するデブリ堆積量推定手段と
を備える
ことを特徴とするデブリの堆積量推定装置。
【請求項２】
前記中性子検出器が、前記原子炉容器の外部を覆う生体遮蔽壁に形成された上下方向に延びる穴に挿通され、
前記デブリ堆積量推定手段が、
炉心損傷状況を想定した遮蔽解析を行ってデブリの堆積位置及び堆積量と中性子束の鉛直方向の分布との関連付けを行う遮蔽解析部と、
前記遮蔽解析部による解析結果と前記中性子検出器によって検出した中性子束の値とを比較して原子炉容器内に実際に堆積しているデブリの量を推定するデブリ堆積量推定演算部と
を備える
ことを特徴とする請求項１に記載のデブリの堆積量推定装置。
【請求項３】
前記遮蔽解析部が、解析結果に基づいて前記中性子検出器による計測を実施する計測位置を決定し、
前記デブリ堆積量推定演算部が、前記遮蔽解析部による解析結果と前記計測位置に位置付けた前記中性子検出器によって検出した中性子束の値とを比較して前記原子炉容器内の前記計測位置に堆積したデブリの量を推定する
ことを特徴とする請求項２に記載のデブリの堆積量推定装置。
【請求項４】
前記遮蔽解析部が、解析結果に基づいて実際に前記中性子検出器による計測を実施する複数の計測位置を決定し、
前記デブリ堆積量推定演算部が、前記遮蔽解析部による解析結果と前記中性子検出器によってそれぞれの前記計測位置ごとに検出した中性子束の値とを比較して前記原子炉容器内の各前記計測位置に堆積したデブリの量を推定する
ことを特徴とする請求項２に記載のデブリの堆積量推定装置。
【請求項５】
炉心を収納し液体金属が充填された原子炉容器内のデブリの堆積量を推定する方法であって、
前記原子炉容器の外部から中性子束の計測を行い、
検出した中性子束の値に基づいて前記原子炉容器内のデブリの堆積量を推定する
ことを特徴とするデブリの堆積量推定方法。
【請求項６】
炉心損傷状況を想定した遮蔽解析を行ってデブリの堆積位置及び堆積量と中性子束の鉛直方向の分布とを関連付け、
解析結果と実際に検出した中性子束の値とを比較して前記原子炉容器内に堆積したデブリの量を推定する
ことを特徴とする請求項５に記載のデブリの堆積量推定方法。
【請求項７】
解析結果に基づいて中性子束の計測を実施する計測位置を決定し、
解析結果と前記計測位置で検出した中性子束の値とを比較して前記原子炉容器内に堆積したデブリの量を推定する
ことを特徴とする請求項６に記載のデブリの堆積量推定方法。
【請求項８】
解析結果に基づいて中性子束の計測を実施する複数の計測位置を決定し、
解析結果とそれぞれの前記計測位置で検出した中性子束の値とを比較して前記原子炉容器内に堆積したデブリの量を推定する
ことを特徴とする請求項６に記載のデブリの堆積量推定方法。
【発明の詳細な説明】
【技術分野】
【０００１】
本発明は、炉心を収納し液体金属が充填された原子炉容器の外部から当該原子炉容器内部にあるデブリの堆積量を推定するデブリの堆積量推定装置及び推定方法に関する。
【背景技術】
【０００２】
原子力発電所の過酷事故（シビアアクシデント）の一つに、炉心損傷事故がある。例えば、高速増殖炉では炉心の出力密度が高く、事故時に炉心の反応度が大きくなることから短時間で炉心損傷に至る可能性が指摘されている。そのためＪＳＦＲ（Japan Sodium-cooled Fast Reactor：日本で開発中の先進ループ型ナトリウム冷却高速炉）では、炉心損傷事故時に損傷物質によって再臨界することを回避し、原子炉容器底部が溶融するメルトスルーを生じることなく炉内で事象が終息するよう種々の対策が施されている。
【０００３】
損傷炉心物質は炉心燃料や種々構造物が混在したデブリであり、炉内で事象が終息した場合、当該デブリは原子炉容器底部に設けたコアキャッチャ等に再配置される。デブリは、核反応により生成された中性子やガンマ線を放射する同位体元素を数多く含んでおり、高い放射能を有している。
【０００４】
過酷事故が発生した場合、炉内で事象を終息させるための前述したような対策が想定通りに機能し再臨界を回避していることを監視する手段として、各位置に再配置したデブリの堆積量を測定することが有効であると考えられる。
【０００５】
従来、軽水炉発電プラントにおいてデブリの位置を特定する方法として、レーザー発振装置と、レーザー発振装置から発振されたレーザー光をシート状に照射するレーザーシート形成用の走査光学系と、レーザーシートにおける測定領域の光データを伝送する光ケーブルと、光ケーブルによって伝送された光データを撮影して画像データを取得するカメラと、画像データを処理する画像処理部と、走査光学系および光ケーブルを原子炉圧力容器または原子炉格納容器内の冷却水中に挿入するアームと、を備え、画像処理部によりデブリの崩壊熱が周辺の冷却水に生じさせる対流を検知することによってデブリの位置を特定するようにしたものが公知となっている（例えば、下記特許文献１参照）。
【０００６】
また、同じく軽水炉発電プラントにおけるデブリの位置特定方法として、対象物に光を照射してスクリーンに投影し、スクリーンに投影された光を撮影し、撮影された画像からゆらぎがある位置を判断し、ゆらぎがある位置からデブリの位置を検知するようにしたものも公知となっている（例えば、下記特許文献２参照）。
【先行技術文献】
【特許文献】
【０００７】
【特許文献１】特開２０１３−１６０７３８号公報
【特許文献２】特開２０１４−２１５１８５号公報
【発明の概要】
【発明が解決しようとする課題】
【０００８】
しかしながら、上述した従来のデブリの堆積位置特定方法は、過酷事故発生時に原子炉格納容器内へ検出器を挿入するものであり、検出器の耐環境性、検出器挿入用開口部の設置の必要性、作業員の安全性（作業員の炉内への近接可能性）など、種々の課題を有している。
【０００９】
一方で、近年では上述したようにデブリがある程度特定された位置に堆積するよう種々の対策が施されているため、デブリの堆積量が推定できれば、炉内の状況を把握することができると考えられる。
【００１０】
以上のことから本発明は、安全かつ確実に、炉内に堆積したデブリの堆積量を推定することを可能としたデブリの堆積量推定装置及び推定方法を提供することを目的とする。
【課題を解決するための手段】
【００１１】
上記の課題を解決するための第１の発明に係るデブリの堆積量推定装置は、
炉心を収納し液体金属が充填された原子炉容器内のデブリの堆積量を推定する装置であって、
前記原子炉容器の外部から当該原子炉容器内の中性子束の計測を行う中性子検出器と、
前記中性子検出器によって検出した中性子束の値に基づき前記原子炉容器内のデブリの堆積量を推定するデブリ堆積量推定手段と
を備える
ことを特徴とする。
【００１２】
上記の課題を解決するための第２の発明に係るデブリの堆積量推定装置は、
前記中性子検出器が、前記原子炉容器の外周を覆う生体遮蔽壁に形成された上下方向に延びる穴に挿通され、
前記デブリ堆積量推定手段が、
炉心損傷状況を想定した遮蔽解析を行ってデブリの堆積位置及び堆積量と中性子束の鉛直方向の分布との関連付けを行う遮蔽解析部と、
前記遮蔽解析部による解析結果と前記中性子検出器によって検出した中性子束の値とを比較して原子炉容器内に実際に堆積しているデブリの量を推定するデブリ堆積量推定演算部と
を備える
ことを特徴とする。
【００１３】
上記の課題を解決するための第３の発明に係るデブリの堆積量推定装置は、
前記遮蔽解析部が、解析結果に基づいて前記中性子検出器による計測を実施する計測位置を決定し、
前記デブリ堆積量推定演算部が、前記遮蔽解析部による解析結果と前記計測位置に配置した前記中性子検出器によって検出された中性子束の値とを比較して前記原子炉容器内の前記計測位置に堆積したデブリの量を推定する
ことを特徴とする。
【００１４】
上記の課題を解決するための第４の発明に係るデブリの堆積量推定装置は、
前記遮蔽解析部が、解析結果に基づいて実際に前記中性子検出器による計測を実施する複数の計測位置を決定し、
前記デブリ堆積量推定演算部が、前記遮蔽解析部による解析結果と前記中性子検出器によってそれぞれの前記計測位置ごとに検出した中性子束の値とを比較して前記原子炉容器内の各前記計測位置に堆積したデブリの量を推定する
ことを特徴とする。
【００１５】
上記の課題を解決するための第５の発明に係るデブリの堆積量推定方法は、
炉心を収納し液体金属が充填された原子炉容器内のデブリの堆積量を推定する方法であって、
前記原子炉容器の外部から中性子束の計測を行い、
検出した中性子束の値に基づいて前記原子炉容器内のデブリの堆積量を推定する
ことを特徴とする。
【００１６】
上記の課題を解決するための第６の発明に係るデブリの堆積量推定方法は、
炉心損傷状況を想定した遮蔽解析を行ってデブリの堆積位置及び堆積量と中性子束の鉛直方向の分布とを関連付け、
解析結果と実際に検出した中性子束の値とを比較して前記原子炉容器内に堆積したデブリの量を推定する
ことを特徴とする。
【００１７】
上記の課題を解決するための第７の発明に係るデブリの堆積量推定方法は、
解析結果に基づいて中性子束の計測を実施する計測位置を決定し、
解析結果と前記計測位置で検出した中性子束の値とを比較して前記原子炉容器内に堆積したデブリの量を推定する
ことを特徴とする。
【００１８】
上記の課題を解決するための第８の発明に係るデブリの堆積量推定方法は、
解析結果に基づいて中性子束の計測を実施する複数の計測位置を決定し、
解析結果とそれぞれの前記計測位置で検出した中性子束の値とを比較して前記原子炉容器内に堆積したデブリの量を推定する
ことを特徴とする。
【発明の効果】
【００１９】
上述した本発明に係るデブリの堆積量推定装置及び推定方法によれば、安全かつ確実に、炉内に堆積したデブリの堆積量を推定することができる。
【図面の簡単な説明】
【００２０】
【図１】本発明の実施例に係るデブリの堆積量推定装置を用いた中性子束計測例を示す説明図である。
【図２】本発明の実施例に係るデブリの堆積量推定装置の構成を示すブロック図である。
【図３】本発明の実施例に係るデブリの堆積量推定方法を説明するフローチャートである。
【図４】炉心中心高さからの距離と中性子束分布との関係を示す分布図である。
【図５】炉心中心高さからの距離と計数率との関係を示す分布図である。
【図６】デブリが複数個所に堆積した例を示す説明図である。
【発明を実施するための形態】
【００２１】
以下、図面を参照しつつ本発明に係るデブリの堆積量推定装置及び推定方法について説明する。
【実施例】
【００２２】
図１から図４を用いて本発明の一実施例に係るデブリの堆積量推定装置及び推定方法の詳細を説明する。
【００２３】
図１に高速増殖炉であるＪＳＦＲに本実施例に係るデブリの堆積推定装置及び推定方法を適用した例を示す。
図１に示すように、炉心１１を収納する原子炉容器１０の内部空間には、下部プレナム１２と中間プレナム１３とを隔てるスカート部１５が設けられており、炉心１１は当該スカート部１５等の据付部によって支持されている。
炉心１１の上方には、中間プレナム１３と上部プレナム１４とを隔てる円環状に形成された積層板１６が原子炉容器１０の内周面に沿って設けられている。また、下部プレナム１２には過酷事故発生時に溶融した燃料の受け皿となるコアキャッチャ１７が設けられている。
この原子炉容器１０内には冷却材として液体金属である液体ナトリウム１８が充填されている。また、原子炉容器１０は、その外周を生体遮蔽壁２０によって取り囲まれている。
【００２４】
なお、図１は過酷事故発生時を想定したものであり、コアキャッチャ１７にデブリＤが堆積した状態を示している。
【００２５】
そして、デブリの堆積量推定装置３０は、一つの中性子検出器３１と、デブリ堆積量推定手段としてのデブリ堆積量推定部３２とから構成されている。
本実施例では、生体遮蔽壁２０に上下方向（本実施例では鉛直方向）に沿って計測用の穴２０ａが形成されており、中性子検出器３１は当該検出器３１の水平方向外側の空間に存在する中性子束を計測するようにこの計測用の穴２０ａに挿通され、原子炉容器１０の外側から原子炉容器１０内部の中性子束の計測を行う。計測用の穴２０ａの深さは、少なくともコアキャッチャ１７と同じ高さにおいて中性子検出器３１による計測を行うことができる深さとする。
中性子検出器３１によって計測した結果はデブリ堆積量推定部３２に送られる。
【００２６】
デブリ堆積量推定部３２は、図２に示すように遮蔽解析部３２１と、遮蔽解析結果記憶部３２２と、中性子計測結果記憶部３２３と、デブリ堆積量推定演算部３２４とを備えている。
【００２７】
遮蔽解析部３２１は、予め過酷事故が発生した場合の状況（原子炉構造、デブリ堆積位置、デブリ堆積量、計測開始時期など）を想定して模擬解析（以下、遮蔽解析という）を実施する。この遮蔽解析によりデブリＤの堆積位置及び堆積量と特定の位置（例えば、計測用の穴２０ａのコアキャッチャと同じ深さにある位置）に配置した中性子検出器３１により検出した中性子束の量との関係を把握し、デブリＤの堆積量と計測位置での中性子束の鉛直方向の分布との関連付けを行う。
【００２８】
遮蔽解析結果記憶部３２２は、遮蔽解析部３２１によって実施した遮蔽解析の結果を保管する。
中性子計測結果記憶部３２３は、中性子検出器３１によって検出した中性子束の計測結果を保管する。
【００２９】
デブリ堆積量推定演算部３２４は、遮蔽解析結果記憶部３２２に保管された遮蔽解析の結果と、中性子計測結果記憶部３２３に保管された中性子束の計測結果とに基づいて原子炉容器１０内部の特定の位置に堆積したデブリＤの堆積量の推定を行う。すなわち、原子炉容器１０の外部から中性子束を計測した結果と遮蔽解析で得られたデブリＤの堆積量に対する計測位置における中性子束の値とを比較してデブリＤの堆積量を推定する。推定結果は、図示しない表示部等に出力される。
【００３０】
以下、図３から図５を用いて本実施例におけるデブリの堆積量推定方法についてより詳しく説明する。
本実施例に係るデブリの堆積量推定装置では、まず、遮蔽解析部３２１において、過酷事故発生における計測時の状況（原子炉構造、デブリ堆積位置、デブリ堆積量、計測開始時期など）を想定して遮蔽解析を実施し（ステップＳ１）、原子炉容器１０内部の中性子束の鉛直方向の分布を求める（ステップＳ２）。なお、デブリＤに含まれる中性子束の量については、これまでの知見を踏まえて求めたデブリＤの組成（燃料と構造材との割合）に基づいて定めるものとする。ステップＳ２で求めた中性子束の分布は、解析結果として遮蔽解析結果記憶部３２３に保管される。
図４に示す例は、デブリＤが全てコアキャッチャ１７に堆積したと想定した場合の中性子束の分布の一例である。
【００３１】
続いて、同じく遮蔽解析部３２１において、ステップＳ２で求めた中性子束の分布を、中性子検出器３１が計測する計数率の分布に変換する（ステップＳ３）。図５に示す例は、図４に示す中性子束の仮想分布を、計数率分布に変換した例である。ステップＳ３で求めた計数率分布は、解析結果として遮蔽解析結果記憶部３２３に保管される。
【００３２】
続いて、ステップＳ３で求めた計数率分布から、デブリＤが堆積していることを特徴づける次の二つの観点に基づいて、過酷事故が発生した場合に中性子検出器３１により中性子束の計測を行う位置（本実施例では、計測用の穴２０ａ内の中性子検出器３１を配置する深さ。以下、計測位置という）を決定する（ステップＳ４）。
・計数率が多い。
・鉛直方向の計数率の変化が小さい。
【００３３】
図５に示す例では、炉心１１の中心高さよりも８５０ｃｍ下方の位置（コアキャッチャが設置されている位置）が、計数率が高く且つ鉛直方向の計数率の変化が小さいことから、この位置が計測位置として決定される。
【００３４】
そして、事故が発生した場合には、ステップＳ４で決定した計測位置に中性子検出器３１を手動又は遠隔操作等により配置し、当該計測位置において中性子束の計測を行う（ステップＳ５）。計測結果は、中性子計測結果記憶部３２３に保管される。
【００３５】
続いて、デブリ堆積量推定演算部３２４において、遮蔽解析の結果と中性子検出器３１によって計測した結果とに基づき、デブリＤの堆積量を推定する（ステップＳ６）。より具体的には、デブリ堆積量推定演算部３２４では、解析で求めたデブリＤの堆積量（本実施例では、全てのデブリＤがコアキャッチャ１７に堆積したと仮定したときのデブリＤの堆積量）を１としたときの比率ｒを下式（１）により求める。
【００３６】
【数１】
0006563745.tif 000002
【００３７】
ただし、Ｃ：計測した中性子束のカウント数［ｃ］
Ｔ：計測時間［ｓ］
ａ：解析結果から求まる計数率［ｃｐｓ］
【００３８】
そして、式（１）により求めた比率ｒから、実際に原子炉容器１０の内部に堆積しているデブリＤの堆積量を推定する。このように構成される本実施例に係るデブリの堆積量推定方法での推定誤差は約２％であった（誤差要素として検出器の据付誤差（±１０ｃｍ）に起因するものとカウント数のゆらぎ（１σ）に起因するものとを考慮）。
なお、本実施例では、デブリＤの組成（燃料と構造材の割合）をこれまでの知見を踏まえて定めているため、そこから発生する中性子束を計測することで堆積量の推定を可能としている。
【００３９】
このように、本実施例に係るデブリの堆積量推定方法は、デブリＤの中に中性子を放射する同位体元素が含まれていることに着目し、原子炉容器１０の外部から原子炉容器１０内部の中性子束を計測することによってデブリＤの堆積位置における量を推定するものである。
【００４０】
ＪＳＦＲに代表される高速増殖炉ではナトリウムなどの液体金属を冷却材に使用していることから、軽水に比べ中性子が冷却材等に吸収されにくく、デブリＤから放射される中性子束を原子炉容器１０の外部から計測できるため、原子炉容器１０の内部に中性子検出器３１を挿入する必要がなく、安全にデブリＤの堆積位置における量を推定することが可能である。
【００４１】
また、ＪＳＦＲでは、再臨界を回避するため種々の対策が施されており、デブリが堆積する位置はある程度特定することが可能であるため、デブリの量を推定することで、炉内の状況を把握することも可能となる。
【００４２】
このように、本実施例に係るデブリの堆積量推定装置及び推定方法によれば、確実かつ安全に、特定された位置に堆積したデブリの堆積量を推定することができ、これにより、炉内の状況を把握することができる。
【００４３】
なお、ＪＳＦＲでは、上述した再臨界を回避するため種々の対策として、炉心を構成する燃料集合体内に損傷炉心物質が通るダクトを設け、事故時には損傷炉心物質がこのダクトを通って上部に吹き上げ積層板に堆積し、残りの損傷炉心物質も受け皿であるコアキャッチャに落ちて堆積するように構成されている（図６参照）。本実施例ではデブリが全てコアキャッチャ１７に堆積したと想定して遮蔽解析を行う例を示したが、例えば図６に示すように、過酷事故時に損傷炉心物質が積層板１６及びコアキャッチャ１７に堆積するように構成されている場合は、計測位置として各堆積位置に対応する計測位置を設定し、それぞれの計測位置ごとに解析結果と実際の計測結果とに基づき各堆積位置におけるデブリＤの堆積量を推定すればよい。
【００４４】
また、本実施例では一つの中性子検出器３１により中性子束の計測を行う例を示したが、生体遮蔽壁に計測用の穴を複数形成し、それぞれの穴に中性子検出器を挿通して原子炉容器１０内の中性子束を計測し、それぞれの計測結果を総合的に判断してデブリＤの堆積量を推定するようにしてもよい。
【産業上の利用可能性】
【００４５】
本発明は、炉心を収納し液体金属が充填された原子炉容器の外部から当該原子炉容器内部にあるデブリの堆積量を推定するデブリの堆積量推定装置及び推定方法に利用することができる。
【符号の説明】
【００４６】
１０  原子炉容器
１１  炉心
１２  下部プレナム
１３  中間プレナム
１４  上部プレナム
１５  スカート部
１６  積層板
１７  コアキャッチャ
１８  液体ナトリウム
２０  生体遮蔽壁
２０ａ  計測用の穴
３０  デブリの堆積量推定装置
３１  中性子検出器
３２  デブリ堆積量推定部
３２１  遮蔽解析部
３２２  遮蔽解析結果記憶部
３２３  中性子計測結果記憶部
３２４  デブリ堆積量推定演算部
Ｄ  デブリ
【図１】
0006563745.tif 000003
【図２】
0006563745.tif 000004
【図３】
0006563745.tif 000005
【図４】
0006563745.tif 000006
【図５】
0006563745.tif 000007
【図６】
0006563745.tif 000008